(57)【要約】【課題】  鼻毛を処理するための鼻毛脱毛器具の為の鼻毛脱毛ワックス用容器を提供する。【解決手段】  脱毛ワックスを塗布する円盤部を有する鼻毛脱毛器具に用いる脱毛ワックス用容器であって、脱毛ワックス用容器はシリコン樹脂を用いた耐熱性容器であって、底部は厚くして底部の中央には前記円盤部が入る有底の円筒状の凹部を設けた鼻毛脱毛ワックス用容器で、鼻毛脱毛器具は、脱毛ワックスを塗布する円錐状部と、該円錐状部の下部には把持部を設け、脱毛ワックスを塗布した円錐状部を鼻孔に挿入して、該塗布された脱毛ワックスに鼻孔内の鼻毛を粘着して前記把持部を鼻孔から引く抜くことにより鼻毛を脱毛する。【選択図】図２
2018110702.tif 000002
【特許請求の範囲】
【請求項１】
脱毛ワックスを塗布する円盤部を有する鼻毛脱毛器具に用いる脱毛ワックス用容器であって、
該脱毛ワックス用容器はシリコン樹脂を用いた耐熱性容器であり、底部は厚くして底部には前記円盤部が挿入できる内径を有する凹部を設けたことを特徴とする鼻毛脱毛ワックス用容器。
【請求項２】
前記円盤を有する鼻毛脱毛器具は、脱毛ワックスを塗布する円錐状部と、該円錐状部の下部には把持部を設け、脱毛ワックスを塗布した円錐状部を鼻孔に挿入して、該塗布された脱毛ワックスに鼻孔内の鼻毛を粘着して前記把持部を鼻孔から引く抜くことにより鼻毛を脱毛することを特徴とする請求項１に記載の鼻毛脱毛ワックス用容器。
【請求項３】
前記凹部は有底の円筒状であり、脱毛ワックス用容器の底部のほぼ中央部に設けたことを特徴とする請求項１又は２に記載の鼻毛脱毛ワックス用容器。
【発明の詳細な説明】
【技術分野】
【０００１】
本発明は、鼻毛脱毛器具に用いる鼻毛脱毛ワックス用容器に関する。
【背景技術】
【０００２】
従来の鼻毛処理器具は、シェーバー等が多数提案されているが、鼻毛は立体的に生えており、かつ鼻腔前庭部のどこに生えているか判然としないことから、一本の鼻毛を処理することも困難である。処理した鼻毛を視認できないので、どの程度確実に処理されているか分からないといった問題があった。
【０００３】
このため、特許文献１(特開2016-107088号公報)に開示されているように、スプリングを軸部材に沿って収縮させて毛を挟み、スプリングの収縮状態を維持して移動することにより鼻毛を一気に抜き去る鼻毛脱毛器具が提供されている。
また、特許文献２(特開2014-168638号公報)に開示されているように、強力な粘着部に鼻毛を根本から貼り付け、親指挟んで抜く脱毛用粘着テープが提案されている。
【０００４】
本発明者も、特許文献３に記載されているような、脱毛ワックスを塗布する円盤状に円錐状部設け、下端に把持部を設けた鼻毛を脱毛する鼻毛脱毛器具を提供しており、謂ブラジリアンワックス或いはビキニワックスと呼ばれる脱毛ワックスを塗布した円錐状部を鼻孔に挿入して、該塗布された脱毛ワックスに鼻孔内の鼻毛を粘着して把持部を鼻孔から引く抜くことにより鼻毛を脱毛するものである。
【先行技術文献】
【特許文献】
【０００５】
【特許文献１】特開２０１６−１０７０８８号公報
【特許文献２】特開２０１４−１６８６３８号公報
【特許文献３】特願２０１６−２２８３３１
【発明の概要】
【発明が解決しようとする課題】
【０００６】
前掲の特許文献１の鼻毛脱毛器具は、コイルで挟むのが鼻毛の一部なので、そこで切断され、根本から完全には抜けない場合もあり、鼻毛も鼻穴内壁にこびり付いている場合にはコイルで挟むのが困難であり、抜き残る場合がある等の問題点があった。
また、前掲の特許文献２の脱毛用粘着テープは、いちいち強力な粘着部に鼻毛を根本から貼り付けなければならず、親指を鼻毛に接触させなければならず不衛生であるといった問題点があった。また、従来技術として脱毛ワックスで脱毛する場合はエステサロンにいって処理する必要が経費や時間が不必要となる問題点があった。
【０００７】
さらに、特許文献３の鼻毛脱毛器具は、固形の脱毛ワックスをヒーターやレンジで温めて液状化し、この液状化した脱毛ワックスを鼻毛脱毛器具の先端に塗布する必要があり、脱毛ワックスが常温で固化する際に鼻毛が脱毛ワックスともに固化するすることを利用して一緒に抜くようにしたものである。この際に液状の脱毛ワックスの容器の直径が大きく深さがないと、円錐状部に円盤部まで浸からず十分な脱毛ワックスが円錐状部を覆うことがなく、容器の直径が小さいと脱毛ワックスの量が少なく、何度も固形脱毛ワックスを補充しなければならない。
本発明は、前述の問題点に鑑みなされたもので、鼻毛脱毛器具の先端の円盤部や円錐状部に少量の液体状の脱毛ワックスを簡単に十分塗布することができる鼻毛脱毛ワックス用容器を提供しようとするものである。
【課題を解決するための手段】
【０００８】
上記課題を解決するために、請求項１の発明は、脱毛ワックスを塗布する円盤部を有する鼻毛脱毛器具に用いる脱毛ワックス用容器であって、該脱毛ワックス用容器はシリコン樹脂を用いた耐熱性容器であり、底部は厚くして底部には前記円盤部が挿入できる内径を有する凹部を設けたことを特徴とする鼻毛脱毛ワックス用容器である。
請求項２の発明は、請求項１に記載の鼻毛脱毛ワックス用容器において、前記円盤を有する鼻毛脱毛器具は、脱毛ワックスを塗布する円錐状部と、該円錐状部の下部には把持部を設け、脱毛ワックスを塗布した円錐状部を鼻孔に挿入して、該塗布された脱毛ワックスに鼻孔内の鼻毛を粘着して前記把持部を鼻孔から引く抜くことにより鼻毛を脱毛することを特徴とする。
請求項３の発明は、請求項１又は２に記載の鼻毛脱毛ワックス用容器において、前記凹部は有底の円筒状であり、脱毛ワックス用容器の底部のほぼ中央部に設けたことを特徴とする。
【発明の効果】
【０００９】
本発明の鼻毛脱毛ワックス用容器によれば、底部に円筒状の凹部が設けられているから、この凹部に先端の円盤部や円錐状部を挿入すれば、鼻毛脱毛器具の先端の円盤部や円錐状部に少量の液体状の脱毛ワックスであっても、図２(a)の一点鎖線のように簡単に十分塗布することができる。通常は点線のように４回分程度の脱毛ワックスを収納できる。
また、シリコン樹脂を用いた耐熱性容器であるので、レンジで温めても容器自体は熱くならず、すぐにレンジの外に出して使用でき火傷等の不測の事故を防止でき、一度使用して固化した脱毛ワックスWを再びレンジで温めて再利用が簡単にできる。
特に、先端部が円錐状部の傘状の鼻毛脱毛器具には、脱毛ワックスＷを傘状の全面に簡単に塗布することができ、塗った表面に接触する鼻毛を簡単に全部脱毛することができる。また、鼻穴内壁にこびり付いている鼻毛や、生えている方向がまちまちの複数の鼻毛を一気に脱毛することができる。                    
【図面の簡単な説明】
【００１０】
【図１】図１(ｂ)は実施例１の鼻毛脱毛器具の正面図、図１(ａ)はその左側面図、図１（ｃ）はその右側面図、
【図２】図２(ａ)は、本発明の実施例の鼻毛脱毛ワックス用容器に温めた液状の脱毛ワックスに鼻毛脱毛器具の円錐状部を投入した状態の図、図２(ｂ)は円錐状部の先端に脱毛ワックスを塗布した状態の図、図２(ｃ)は鼻毛脱毛器具の円錐状部の先端に鼻孔に挿入して鼻毛を抜く状態の図、
【図３】鼻毛脱毛器具の使用した先頭の円錐状部を折って切り取った状態の図、
【図４】本発明の鼻毛脱毛ワックス用容器の図で、図４(ａ)鼻毛脱毛ワックス用容器の本体部、図４(ｂ)はその蓋部、
【図５】蓋部を嵌めて鼻毛脱毛ワックス用容器をレンジで温めている状態の説明図である。
【図６】図６(a)は、鼻毛脱毛器具の実施例２の正面図、図６(ｂ)は先頭の円錐状部を折って切り取った状態の図である。
【発明を実施するための形態】
【００１１】
本発明の鼻毛脱毛ワックス用容器の好適な実施例について、図面を参照して説明する。
【実施例１】
【００１２】
本発明の鼻毛脱毛ワックス用容器５に使用する鼻毛脱毛器具の実施例１を、図１から図３に沿って説明する。
図１に示すように、鼻毛脱毛ワックス用容器５に使用する鼻毛脱毛器具１は、主に、複数(４個)の円錐状部２と把持部３とが合成樹脂によって一体に形成され、４個の円錐状部２は、先頭の円錐状部２の底部２１(円盤状)と２番目の円錐状部２の先端部２３における頂部２２とが連結部４によって、直列に連なって一体に形成されている。
円錐状部２の先端部２３は鼻孔Ｎに挿入し易いように形成され、実施例１の円錐は円形外周のスカート部の直径は１５mmで高さ９mmであり、その直径は鼻孔Ｎの直径よりも大きくして、円錐状部２の全体が鼻孔Ｎに簡単には入り込まないようにしてある。なお、把持部３の直径は把持しやすいように５.２mmである。
この円錐状部２の形状もほぼ円錐状或いは傘状であればよく、図１に示すように、斜面の断面は直線ではなく内側に凹んだ湾曲状である。 
また、円錐状部２は直列に複数個に配置するのは、上方に位置する円錐状部２から連結部４で順次切り離し、先頭に位置する円錐状部２の先端部２３に脱毛ワックスを塗布して使用するようにしてある。
【００１３】
ここで、実施例１の鼻毛脱毛器具１の使用方法を図２、図３で説明する。
先ず、図２(ａ)に示すように、本発明の鼻毛脱毛ワックス用容器５にレンジ等で温めた温めた脱毛ワックスＷに鼻毛脱毛器具１の円錐状部２の先端部２３を投入する。通常、脱毛用ワックスＷは、温めるとドロッとした液状になり、常温や体温では固まる性質のもので、蜂蜜と砂糖を主成分とし水、ショ糖、ミツ、クエン酸を配合した所謂ブラジリアンワックス或いはビキニワックスと呼ばれるワックスで、エステサロン等で足等の脱毛に普通に使用されているものである。
このため、脱毛用ワックスＷの使用に際しては、図４に示すような鼻毛脱毛ワックス用容器５の本体部５１には、固形の脱毛ワックス粒６（Ｗ）の４ｇ程度を投入し、図５に示すように、蓋部５２を本体５１に嵌めレンジ７(ヒータ)等で液状化するまで温める。１回分の４ｇであれば５００Ｗで４分３０秒、６００Ｗで４分、１０００Ｗで２分が目安であるが、脱毛ワックス６が溶けていない場合には再度１５秒づつ加熱して脱毛ワックス６が溶け出したたら準備が完了する。
【００１４】
本実施例の鼻毛脱毛ワックス用容器５は柔軟性のシリコン樹脂を用いた耐熱性容器であるので、レンジ７で温めても容器自体は熱くならず、すぐにレンジ７の外に出して使用でき火傷等の不測の事故を防止でき、柔軟性があり一度使用して固化した脱毛ワックスWを再びレンジ７で温めて再利用が簡単にできる。
また、蓋部５２の下側には段差５２１を設けこの段差５２１によって鼻毛脱毛ワックス用容器５の内壁５１３に嵌め込まれ、単に軽く上下方向に嵌め込むだけの構成で、空気や水蒸気が膨張しても簡単上下方向に外れる構成で安全であり、かつ、蓋部５２があるので加熱性や保温性がよい。なお、符号５２２は蓋部５２を外すための蓋把持部である。
この脱毛用ワックスＷが流動性になった状態で、本体部５１の底部５１１のほぼ中央部には有底の円筒状の凹部５１２が設けられているから、この凹部５１２に先端の円盤部や円錐状部を挿入すれば、液状脱毛ワックスＷが少量でも凹部には液状脱毛ワックスが充満し、円錐状部２の先端部２３を液状に溶けた脱毛ワックスＷに十分に漬けることができ、３０秒から１分間は把持部３を回してかき混ぜで、円錐状部２に脱毛用ワックスＷを巻き付けるように塗布する。なお、前記有底の円筒状の凹部５１２の内径は鼻毛脱毛器具１の先端の円盤部や円錐状部の外径と同じが若干大きめにすると鼻毛脱毛器具１の円盤部や円錐状部がスムースに凹部５１２に挿入することができる。
【００１５】
次に、図２(ｂ)に示すように、円錐状部２の先端部２３に脱毛ワックスＷを塗布した状態で、脱毛用ワックス缶５から取り出すと、先端部２３には脱毛用ワックスＷを塗布された状態となる。
ここで、円錐状部２にしたのは、脱毛に脱毛ワックスＷの表面が作用するが、脱毛ワックスＷを塗布円錐状に塗布しても中心部が傘状なので、無駄な脱毛ワックスＷが少なくて済むからである。したがって、適度の脱毛ワックスＷが存在するように、他方内側に湾曲させててもよい。
このように、先頭の円錐状部２の先端部２３に脱毛ワックスＷを塗布状態に維持して、図２(ｃ)に示すように、脱毛ワックスＷが塗布された円錐状部２の先端部２３に鼻孔Ｎに挿入する。
【００１６】
この際、円錐状部２の外周部２４の円形直径は鼻孔Ｎの直径よりも大きくしてあるので、円錐状部２の全体が鼻孔Ｎに入り込むことがない。
この円錐状部２の先端部２３に鼻孔Ｎに挿入した状態をしばらく維持すると、脱毛ワックスＷは常温或いは体温で固化する性質のものであるので、円錐状部２の先端部２３の脱毛ワックスＷは鼻毛Ｈが張り付き保持した状態で固化する。この鼻毛Ｈと一緒に固化した状態であるので、鼻毛脱毛器具１の把持部３を鼻孔Ｎから引き抜くと、鼻毛Ｈも一緒に引き抜かれ、鼻毛Ｈの除去が完了する。
このように、鼻毛Ｈの除去が完了した鼻毛脱毛器具１は、図３に示すように、使用した先頭の円錐状部２を連結部４で折って切り取って、その下に位置する円錐状部２を先頭位置にて、次の使用状態を用意する。したがって、本実施例では円錐状部２が４個であるので、４回の脱毛処理が可能である。なお、実施例１での各連結部４の太さは均一で、簡単に折って切り取れる程度であるが、弱い力では折れない程度の強度で設計すればよい。なお、円錐状部２の個数は必要におうじて適宜に設定すればよい。
【実施例２】
【００１７】
次に、本発明の鼻毛脱毛器具の実施例２を、図６に沿って説明する。
実施例２は、図６(ａ)に示すように、直列に配置された複数の円錐状部２の底部２１(円盤状)と次の円錐状部２の頂部２２とは結合部４で連結されている。この連結部４は、先頭の円錐状部２Ａと次の円錐状部２Ｂとの連結部４Ａが一番細く、把持部３に近づくにしたがって連結部４Ｂ、連結部４Ｃと連結部４が次第に太くしてある。
これは、図６(ｂ)に示すように、先端の円錐状部２から順に折れ易くしてあるので、使用後には先頭の円錐状部２から順に除去でき無駄なく廃棄し、最後の円錐状部２まで使い切ることができる。他の構成は実施例１と同じであるので、説明は省略する。
【００１８】
このように、実施例１、及び、実施例２の鼻毛脱毛器具１によれば、円錐状部２の先端部２３を鼻孔Ｎに挿入するだけで、傘状の脱毛ワックスＷを表面に接触する鼻毛Ｈは全部脱毛することができ、簡単に鼻毛Ｈを安全性且つ迅速性に処理するための鼻毛脱毛器具を提供しようとするものであり、鼻穴内壁にこびり付いている鼻毛Ｈや、生えている方向がまちまちの複数の鼻毛Ｈを一気に脱毛することができる。
更に、実施例２の鼻毛脱毛器具１は先頭の円錐状部２から、順次折れやすくなっているので、無駄なく円錐状部２を使い切ることができる。
【００１９】
以上のような構成であるので、本発明の実施例の鼻毛脱毛ワックス用容器によれば、底部に円筒状の凹部が設けられているから、この凹部に先端の円盤部や円錐状部を挿入すれば、鼻毛脱毛器具の先端の円盤部や円錐状部に少量の液体状の脱毛ワックスであっても、図２(a)の一点鎖線のように簡単に十分塗布することができる。通常は点線のように４回分程度の脱毛ワックスを収納できる。
また、シリコン樹脂を用いた耐熱性容器であるので、レンジで温めても容器自体は熱くならず、すぐにレンジの外に出して使用でき火傷等の不測の事故を防止でき、一度使用して固化した脱毛ワックスWを再びレンジで温めて再利用が簡単にできる。
更に、先端部が円錐状部の傘状の鼻毛脱毛器具には、脱毛ワックスＷを傘状の全面に簡単に塗布することができ、塗った表面に接触する鼻毛を簡単に全部脱毛することができる。また、鼻穴内壁にこびり付いている鼻毛や、生えている方向がまちまちの複数の鼻毛を一気に脱毛することができる。
【００２０】
なお、本発明の特徴を損なうものでなければ、上記の実施例に限定されるものでないことは勿論である。例えば、使用する鼻毛脱毛器具の先端は円盤上に円錐状部２を設けた形状であるが、単にに円盤状だけの脱毛ワックスが載るような鼻毛脱毛器具でもよい。
【符号の説明】
【００２１】
Ｗ・・脱毛ワックス、Ｈ・・鼻毛、Ｎ・・鼻孔
１・・鼻毛脱毛器具、
２・・円錐状部、２１・・底部、２２・・頂部、２３・・先端部、
２４・・外周部、
３・・把持部、
４,４Ａ,４Ｂ,４Ｃ・・連結部、
５・・鼻毛脱毛ワックス用容器、５１・・本体部、５１１・・底部、
５１２・・円筒状の凹部、５１３・・内壁
５２・・蓋部、５２１・・段差、５２２・・蓋把持部
６・・固形脱毛ワックス粒(W)
７・・レンジ
【図１】
2018110702.tif 000003
【図２】
2018110702.tif 000004
【図３】
2018110702.tif 000005
【図４】
2018110702.tif 000006
【図５】
2018110702.tif 000007
【図６】
2018110702.tif 000008